(57)【要約】【課題】  携帯機器本体の薄型化・小型化・軽量化を図りながら、幅の広いベルトに対応できる、ベルトクリップ構造を有する使用時の安定性の高い携帯機器を提供する。【解決手段】  各種電子部品等を納めた本体２と、ベルト２０を差し込み本体２を支持するベルトクリップ１０と、一方がベルトクリップ１０に接続され、ベルトクリップ１０を本体２から開閉するためのベルトクリップ開閉用ヒンジ部４と、ベルトクリップ開閉用ヒンジ部４の他方に接続され、本体２にネジ１２で取り付けるための取り付け部１１を有する金属プレート９と、本体２の背面の上部に凸設して形成された取り付け用ネジボス（凸部）３と、取り付け用ネジボス３の下部に、取り付け用ネジボス３の先端から本体２の背面の下部方向へ傾斜して設置されたスロープ部６と、金属プレート９の本体２側に凸設され本体２に近接するプレート突起部５とを備える。【選択図】  図１
2006311238.tif 000002
【特許請求の範囲】
【請求項１】
本体の背面の上部に取り付けられたベルトクリップに、ベルトを差し込み前記本体を支持する携帯機器であって、
一方が前記ベルトクリップに接続され、前記ベルトクリップを前記本体から開閉するための開閉部と、
前記開閉部の他方に接続されたプレートと、
前記プレートを前記本体に取り付けるための取り付け部とを備え、
前記取り付け部より上部の位置に前記開閉部が設置されているオフセット構造を有する
ことを特徴とする携帯機器。
【請求項２】
前記取り付け部は、前記本体から凸設している
ことを特徴とする請求項１記載の携帯機器。
【請求項３】
前記取り付け部の下部に、前記取り付け部の先端から前記本体の背面の下部方向へ傾斜したスロープ部を備える
ことを特徴とする請求項２記載の携帯機器。
【請求項４】
前記本体の下部に、背面側への突起部を有する電源部を備える
ことを特徴とする請求項１〜３のいずれか１項に記載の携帯機器。
【請求項５】
前記プレートの前記本体側に凸設され、前記本体に近接するプレート突起部を備える
ことを特徴とする請求項１〜４のいずれか１項に記載の携帯機器。
【発明の詳細な説明】
【技術分野】
【０００１】
本発明は、着脱可能なベルトクリップを有する携帯型無線機等の携帯機器に関する。
【背景技術】
【０００２】
従来の携帯機器のベルトクリップ構造の一例として、機器本体の裏面に、ベルトクリップの上端側を回動自在に枢着すると共に、ベルトクリップのベルトと接触する面に、摩擦係数の大きな弾性体より形成され、かつ下部に機器本体側に突設された係止突起を有する弾性部材を設けたものがある。この構成により、携帯機器を幅の広いベルトに装着した場合、係止突起がベルトの内面に圧接されて、ベルトクリップが上方へ抜け外れるのを阻止するため、幅の広いベルトにも安定した状態で機器本体を装着することができる。また、ベルトクリップのベルトと接触する面のほぼ全面に弾性部材を設けて、長期間使用していても、ベルトを損傷しないようにしている。（例えば、特許文献１参照。）。
【０００３】
また、一般にバッテリーを本体下部に取り付ける携帯機器（例えば、携帯型無線機）では、バッテリー幅と本体幅が同一で、かつ、ベルトクリップ取り付け用ネジが本体内部に入り込む構造になっている。
【特許文献１】特開平１１−４０９５２号公報（図２）
【発明の開示】
【発明が解決しようとする課題】
【０００４】
しかし、従来の携帯機器では、携帯機器の背面へのベルトクリップの飛び出しが大きく、特に幅の広いベルトに装着した場合、ベルト全体がベルトクリップの内部に納まらずに下方に飛び出すため、さらにベルトクリップの飛び出しが大きくなるという問題がある。
【０００５】
また、ベルトクリップ取り付け用ネジが本体内部に入り込む構造を採っているため、本体内部にボスを設けなければならないので、その領域が携帯機器本体での無駄なスペースとなってしまい、本体内部において効率的に部品配置等の設計ができないなどの問題がある。
【０００６】
また、ベルトクリップの内面のベルトと接触する面に弾性部材を設けないと、幅の広いベルトの損傷を防止することができない。
【０００７】
また、バッテリー幅（厚さ）と本体幅（厚さ）が同一であるため、重心が高くなり安定性が悪いという問題がある。
【０００８】
そこで、本発明は、携帯機器本体の薄型化・小型化・軽量化を図りながら、幅の広いベルトに対応できる、ベルトクリップ構造を有する使用時の安定性の高い携帯機器を提供することを目的とする。
【課題を解決するための手段】
【０００９】
上記の目的を達成するため、本発明に係る携帯機器は、本体の背面の上部に取り付けられたベルトクリップに、ベルトを差し込み前記本体を支持する携帯機器であって、一方が前記ベルトクリップに接続され、前記ベルトクリップを前記本体から開閉するための開閉部と、前記開閉部の他方に接続されたプレートと、前記プレートを前記本体に取り付けるための取り付け部とを備え、前記取り付け部より上部の位置に前記開閉部が設置されているオフセット構造を有することを特徴とする。
【００１０】
また、前記取り付け部は、前記本体から凸設していることを特徴とする。
【００１１】
また、前記取り付け部の下部に、前記取り付け部の先端から前記本体の背面の下部方向へ傾斜したスロープ部を備えることを特徴とする。
【００１２】
また、前記本体の下部に、背面側への突起部を有する電源部を備えることを特徴とする。
【００１３】
また、前記プレートの前記本体側に凸設され、前記本体に近接するプレート突起部を備えることを特徴とする。
【発明の効果】
【００１４】
本発明に係る携帯機器によれば、ベルトクリップ内のベルトを通す位置が従来構造と比べ、上にオフセットしている構造を有するため装着時の安定性が高い。また、携帯機器本体の薄型化・小型化・軽量化を図りながら、幅広（約５０ｍｍ）のベルトでもベルト全体をベルトクリップ内に収めることができ、ベルト及びベルトクリップの飛び出し及び損傷を避けることができる。
【００１５】
また、取り付け部は本体から凸設しているため、本体内にベルトクリップ取り付け用ネジが入り込まないため、本体内部の部品配置等の設計を最適化でき、結果として本体の薄型化が可能となる。本体の背面から突出する部分を取り付け部のみとすることで、本体の容積を小さくすることができる。
【００１６】
取り付け部の下部に、取り付け部の先端から本体の背面の下部方向へ傾斜したスロープ部を備えるので、ベルトをベルトクリップ内に挿入したときに、取り付け部に当たってベルトクリップ内に入りきらなくなることや、ベルトの損傷を防止することができる。
【００１７】
本体の下部に、背面側への突起部を有する電源部（バッテリー）を備えるので、携帯機器本体及び電源部の有する形状が、ベルトを通る部分を逃げた上で、重量の大きい電源部を下部に配することとなるため、安定性が高い。
【００１８】
ベルトクリップの開閉部と接続されるプレート上の突起部が本体の上部に近接するため、ベルトクリップを引き起こす際に大きな力がかかってもプレートのたわみや変形を抑えることができる。
【発明を実施するための最良の形態】
【００１９】
以下では、本発明を実施するための最良の形態について図面を参照しながら説明を行う。
【００２０】
図１は、本発明に係る携帯型無線機の側面図である。図２は、本発明に係る携帯型無線機の背面図である。図３は、本発明に係る携帯型無線機の上面図である。図４は、本発明に係る携帯型無線機の斜視図である。図５は、本発明に係る携帯型無線機本体及びベルトクリップの分解斜視図である。図６は、本発明に係る携帯型無線機のベルトクリップの分解斜視図である。
【００２１】
本発明に係る携帯型無線機は、本体の背面の上部に開閉式のベルトクリップが取り付けられた携帯型無線機であって、無線通信を行うための各種電子部品等を納めた本体２と、ベルト２０を差し込み本体２を支持するベルトクリップ１０と、一方がベルトクリップ１０に接続され、ベルトクリップ１０を本体２から開閉するためのベルトクリップ開閉用ヒンジ部（開閉部）４と、ベルトクリップ開閉用ヒンジ部４の他方に接続され、本体２にネジ１２で取り付けるための取り付け部１１を有する金属プレート９と、本体２の背面の上部に凸設して形成され、金属プレート９を取り付けるための台形形状の取り付け用ネジボス（凸部）３と、取り付け用ネジボス３の下部に、取り付け用ネジボス３の先端（上面）から本体２の背面の下部方向へ傾斜して、左右それぞれにおいて各２つに分かれて設置されたスロープ部６と、本体２の下部にベルトクリップ１０側への突起部７を有する重量の大きいバッテリー（電源部）１と、金属プレート９の本体２側に凸設され本体２に近接するプレート突起部５とを備える。
【００２２】
ベルト２０は、バッテリー突起部７とベルトクリップ取り付け用ネジボス３との間に収まる。
【００２３】
このように、ベルトクリップ取り付け用ネジボス３より、さらにオフセットＤだけ上にベルトクリップ開閉用ヒンジ部４を配するオフセット構造としているため、ベルト２０のかかる位置を従来よりも上になり使用時の安定性が高まる。
【００２４】
また、本体２の全長を伸ばすことなく幅の広い（約５０ｍｍ）ベルト２０にも対応でき、ベルト２０をベルトクリップ１０内に収めることができ、ベルト２０及びベルトクリップ１０の飛び出し及び損傷を避けることができる。
【００２５】
また、金属プレート９を本体２に取り付けるため、本体２の背面の上部に形成された取り付け用ネジボス３を備え、金属プレート９の取り付け部１１は、金属プレート９において取り付け用ネジボス（凸部）３の高さだけベルトクリップ１０側に形成される構造であるので、携帯型無線機全体の小型化、軽量化、薄型化を妨げることがない。
【００２６】
本体２の背面から突出する部分を取り付け用ネジボス３のみとすることで、本体２の容積を小さくすることができる。２つの取り付け用ネジボス３と本体２の背面との段差を補うために金属プレート９に段差調整用の曲げ部１４が形成されている。
【００２７】
なお、取り付け部１１は、ベルトクリップ１０の両脇にはみ出して一対として形成されており、ネジ１２にて取り付け用ネジボス３に取り付けられているので、容易に脱着可能である。
【００２８】
また、取り付け用ネジボス３の存在のために、ベルトクリップ１０内の凹部の空間が狭くなるのを避けるため、ベルトクリップ１０における取り付け用ネジボス３の近傍は外側に張り出しており、これにより、ベルト２０が入り込むスペースが形成されている。実際に、携帯型無線機をベルト２０に装着すると、携帯型無線機の自重によりベルト２０は図１に示す位置で安定する。
【００２９】
取り付け用ネジボス３の下部に、取り付け用ネジボス３及び本体２に接触するスロープ部６を備えるので、ベルトクリップ取り付け用ネジボス３の補強としてだけでなく、ベルト２０をベルトクリップ１０内に挿入したときに、取り付け用ネジボス３に当たって奥まで入りきらなくなることを防止することができる。
【００３０】
本体２の下部に、ベルトクリップ１０側への突起部７を有する重量の大きいバッテリー（電源部）１を備えるため、本体２をベルト２０の位置を逃げるように薄くして配置することができ、携帯型無線機全体の重心が下がり安定する。なお、このバッテリー突起部７の上端はベルトクリップ１０よりは本体２側にあるので、装着時に人体側に接触することはなく、不快感を与えることはない。
【００３１】
ベルトクリップ１０の先端に、バッテリー１の突起部７の上端よりも本体２側に突起するベルトクリップ先端部８を備えるため携帯型無線機全体の薄型化とともに、ベルト２０の確実な保持が実現できる。さらに、ベルトクリップ先端部８は、先端が上方にはね返っており、本体２側に滑り止めの突起が形成されている。
【００３２】
金属プレート９の本体２側にプレート突起部５を設け、本体２の上部に接触させることで、ベルトクリップ１０を引き起こす際に大きな力がかかっても金属プレート９のたわみや変形を防止することができる。
【００３３】
金属プレート９は、ベルトクリップ開閉用ヒンジ部４より上方を本体２の裏面側に折り曲げてなる折り曲げ部１３を有し、ベルトクリップ１０が折り曲げ部１３に接触するまで、ベルトクリップ１０を開くことができる。従って、折り曲げ部１３の折り曲げ度を調整することで、ベルトクリップ１０が開く限度を調整することができる。また、折り曲げ部１３を設けることで、不意にベルトクリップ１０が開いて、ベルト２０からベルトクリップ１０が抜け落ちることを防止することができる。
【００３４】
以上、本発明に係る携帯機器の実施の形態について説明を行ったが、本発明に係る携帯機器は説明を行った実施の形態に限定はされない。例えば、本発明の実施の形態においては、携帯型無線機以外の携帯電話やＰＤＡ（Personal Digital Assistant）等の電子機器、中小型のバッグ、タバコ入れ等に適用してもよい。また、取り付け部はネジ以外のもので取り付ける方式でももちろんよい。
【産業上の利用可能性】
【００３５】
本発明は、ベルトクリップを有する携帯型無線機等に適用できる。
【図面の簡単な説明】
【００３６】
【図１】本発明に係る携帯型無線機の側面図である。
【図２】本発明に係る携帯型無線機の背面図である。
【図３】本発明に係る携帯型無線機の上面図である。
【図４】本発明に係る携帯型無線機の斜視図である。
【図５】本発明に係る携帯型無線機本体及びベルトクリップの分解斜視図である。
【図６】本発明に係る携帯型無線機のベルトクリップの分解斜視図である。
【符号の説明】
【００３７】
１  バッテリー
２  携帯型無線機本体
３  ベルトクリップ取り付け用ネジボス
４  ベルトクリップ開閉用ヒンジ部
５  プレート突起部
６  スロープ部
７  バッテリー突起部
８  ベルトクリップ先端部
９  金属プレート
１０  ベルトクリップ
１１  取り付け部
１２  ネジ
１３  折り曲げ部
１４  段差調整用の曲げ部
２０  ベルト
Ｄ  オフセット
【図１】
2006311238.tif 000003
【図２】
2006311238.tif 000004
【図３】
2006311238.tif 000005
【図４】
2006311238.tif 000006
【図５】
2006311238.tif 000007
【図６】
2006311238.tif 000008